(57)【要約】【課題】  他の遊技島からの未洗浄の遊技媒体を洗浄して補給遊技媒体として使用する。【解決手段】  遊技島２上部の補給コンベア３０に配置した分岐ユニット３２は、作動状態でメダルを補給コンベヤ３０から分岐排出し、スロットマシン６等に補給し、非作動状態でメダルを通過させる。遊技島２下部の回収コンベア１４が、スロットマシン６等からのメダルをメダル補給装置４ａへ搬送する。コンベア３０の終端部からメダルを戻し路４２がコンベア１４に誘導する。他の遊技島からの未洗浄メダルを島渡しコンベア２８がメダル補給装置４ａの補給タンク２６に搬送する。補給処理として、スロットマシン６等からの補給要求時、分岐ユニット３４を作動状態としコンベア３０を駆動し、タンク２６からメダルを補給する。補給処理の非実行中に全分岐ユニット３４を非作動状態とし、コンベア３０を駆動しタンク２６からコンベア３０にメダルを供給する。【選択図】        図１
2010213829.tif 000002
【特許請求の範囲】
【請求項１】
遊技媒体を洗浄する洗浄手段および遊技媒体を貯留する補給タンクを含む本体と、
遊技島の上部に架設されるとともに、前記補給タンクから供給される前記遊技媒体を搬送路で搬送する補給搬送手段と、
前記補給搬送手段に複数配置されるとともに、作動状態において、搬送される前記遊技媒体を前記搬送路上から分岐排出し、遊技島の対応する遊技媒体使用機に前記遊技媒体を補給し、非作動状態で、搬送される前記遊技媒体をそのまま通過させる分岐ユニットと、
前記遊技島の下部に架設されるとともに、前記遊技媒体使用機から排出される前記遊技媒体を受け取り、前記本体まで搬送する回収搬送手段と、
前記補給搬送手段の終端部から排出される遊技媒体を、前記回収搬送手段に誘導する戻し路と、
他の遊技島から排出される未洗浄の遊技媒体を搬送し、前記補給タンクに取り込む島間搬送手段と、
を有し、前記遊技媒体使用機からの補給要求に応じて、対応する前記分岐ユニットを作動状態とするとともに前記補給搬送手段を駆動し、当該遊技媒体使用機に遊技媒体を前記補給タンクから補給する補給処理を実行可能とした遊技媒体処理装置において、
少なくとも前記補給処理の非実行中を条件として、すべての前記分岐ユニットを非作動状態としたまま前記補給搬送手段を駆動し、前記補給タンクから前記補給搬送手段に供給された遊技媒体を、前記戻し路と前記回収搬送手段を経由して前記本体に戻す迂回処理を実行可能とした遊技媒体処理装置。
【請求項２】
遊技媒体を洗浄する洗浄手段を含む本体と、
遊技島の上部に架設されるとともに、前記本体から供給される遊技媒体を搬送路で搬送する補給搬送手段と、
前記補給搬送手段に複数配置されるとともに、作動状態で、搬送される前記遊技媒体を前記搬送路上から分岐排出し、前記遊技島の対応する遊技媒体使用機に前記遊技媒体を補給し、非作動状態で、搬送される前記遊技媒体をそのまま通過させる分岐ユニットと、
前記遊技島の下部に架設されるとともに、前記遊技媒体使用機から排出される遊技媒体を受け取り、前記本体まで搬送する回収搬送手段と、
前記補給搬送手段の終端部から排出される遊技媒体を、前記回収搬送手段に誘導する戻し路と、
他の遊技島から排出される未洗浄の遊技媒体を搬送し、前記本体に取り込む島間搬送手段と、
を有し、前記遊技媒体使用機からの補給要求に応じて、対応する前記分岐ユニットを作動状態とするとともに前記補給搬送手段を駆動し、当該遊技媒体使用機に前記遊技媒体を補給する補給処理を実行可能とした遊技媒体処理装置において、
少なくとも前記補給処理の非実行中と、前記島間搬送手段により搬送された遊技媒体を本体に取り込み不能な状態であることとを条件として、すべての前記分岐ユニットを非作動状態としたまま前記補給搬送手段を駆動し、前記島間搬送手段により搬送された遊技媒体を前記補給搬送手段に供給し、前記戻し路と前記回収搬送手段を経由して前記本体に戻す迂回処理を実行可能とした遊技媒体処理装置。
【請求項３】
請求項１または２記載の遊技媒体処理装置において、
前記迂回処理の実行に伴い、前記補給搬送手段と前記回収搬送手段の少なくとも一方の駆動速度を変更可能とする遊技媒体処理装置。
【発明の詳細な説明】
【技術分野】
【０００１】
本発明は、複数の遊技機、例えばスロットマシンやパチンコ機、及び遊技媒体貸機、例えばメダル貸機やパチンコ玉貸機のような遊技媒体使用機に、遊技媒体、例えばメダルやパチンコ玉を、補給するために遊技媒体を貯留している遊技媒体貯留装置間で、遊技媒体を搬送する遊技媒体処理装置に関する。
【背景技術】
【０００２】
従来、上記の遊技媒体処理装置には、例えば特許文献１、２に開示されているようなものがある。特許文献１に開示されている遊技媒体処理装置は、メダルの補給装置であって、島渡しコンベアによって搬送されてきたメダルが、当該メダル補給装置が内蔵する補給タンクに投入され、補給用のメダルとして使用される。特許文献２の遊技媒体処理装置も、メダルの補給装置であって、島渡しコンベアで当該メダル補給装置に搬送されてきた未洗浄のメダルを、洗浄行き流路を介して洗浄ユニットに供給し、ここで洗浄してから補給用メダルとして使用する。回収コンベアで回収したメダルも洗浄ユニットに投入するので、島渡しコンベアで搬送されてきたメダルは、直接に洗浄ユニットに投入せず、一旦、その前段に配置した下タンクに投入し、投入量を調整しながら洗浄ユニットへ投入する。下タンクには、メダル計数機からもメダルが投入される。
【先行技術文献】
【特許文献】
【０００３】
【特許文献１】特開２００６−１３６３５５号公報
【特許文献２】特開２００９−５８３３号公報
【発明の概要】
【発明が解決しようとする課題】
【０００４】
特許文献１の遊技媒体処理装置では、搬送元のメダル補給装置が洗浄ユニットを備えていない場合、未洗浄のメダルが当該遊技媒体処理装置の補給タンクに投入され、補給コンベアによりスロットマシンやメダル貸機にそのまま補給されるので、未洗浄のメダルが再使用されることとなり好ましくない。特許文献２の技術によれば、下タンクには、メダル計数機から、短時間の内に大量のメダルが投入されることが多いため、満杯状態となってしまうことがある。このような場合は、隣接島のメダル補給装置からの島渡しが緊急の要請であっても、島渡しを実行することができない
【０００５】
本発明は、遊技島の上部に架設した補給搬送手段から、遊技島の下部に架設した回収搬送手段へ遊技媒体を戻すように構成して、上記の課題を解決するものである。
【課題を解決するための手段】
【０００６】
本発明の一態様は、本体を有し、本体は、遊技媒体、例えばスロットマシン用のメダルまたはパチンコ玉を洗浄する洗浄手段と、遊技媒体を貯留する補給タンクを含んでいる。  洗浄手段によって洗浄されたメダルは、補給タンクに供給される。遊技島の上部に架設された補給搬送手段が前記補給タンクから供給される遊技媒体を補給搬送手段の終端部側へ搬送する。前記補給搬送手段に複数の分岐ユニットが配置されている。これら分岐ユニットは、作動状態で、搬送される遊技媒体を搬送路上から分岐排出し、遊技島の対応する遊技媒体使用機に遊技媒体を補給し、非作動状態で、搬送される遊技媒体をそのまま通過させる。遊技島の下部に架設された回収搬送手段が、前記遊技媒体使用機から排出される遊技媒体を受け取り、前記本体まで搬送する。回収搬送手段により本体まで搬送された遊技媒体は洗浄手段によって洗浄することができる。前記補給搬送手段の終端部から排出される遊技媒体を、戻し路が前記回収搬送手段に誘導する。他の遊技島から排出される未洗浄の遊技媒体を搬送する島間搬送手段が、前記未洗浄のメダルを前記補給タンクに取り込む。この遊技媒体処理装置は、前記遊技媒体使用機からの補給要求に応じて、対応する前記分岐ユニットを作動状態とするとともに、前記補給搬送手段を駆動し、補給要求した遊技媒体使用機に遊技媒体を補給する補給処理を実行可能としている。少なくとも前記補給処理を実行中でないことを条件として、すべての前記分岐ユニットを非作動状態としたまま前記補給搬送手段を駆動し、前記補給タンクから前記補給搬送手段に供給された遊技媒体を、前記戻し路と前記回収搬送手段を経由して前記本体に戻す迂回処理を実行可能としている。
【０００７】
このように構成された遊技媒体処理装置では、分岐ユニットを使用して遊技媒体使用機に遊技媒体を補給していないとき、島間搬送手段によって搬送されてきた未洗浄メダルを収容している補給タンクから補給搬送手段に供給された遊技媒体を、分岐ユニットを非作動とすることによって、戻し路と回収搬送手段を介して本体に戻すことができる。従って、島間搬送手段によって搬送されてきた未洗浄の遊技媒体も、必ず本体に戻すことができるので、本体の洗浄ユニットによって洗浄することが可能であり、その後補給タンクに供給される。
【０００８】
なお、島間搬送手段は、他の遊技島から排出される未洗浄の遊技媒体を前記補給タンクに取り込むものとしたが、これに代えて、他の遊技島から排出される未洗浄の遊技媒体を、前記補給タンクに取り込む状態と、前記補給搬送手段に供給する状態とに切換可能に島間搬送手段を構成し、迂回処理を、少なくとも前記補給処理の非実行中を条件として、すべての前記分岐ユニットを非作動状態としたまま前記補給搬送手段を駆動し、前記島間搬送手段から前記補給搬送手段に供給された遊技媒体を、前記戻し路と前記回収搬送手段を経由して前記本体に戻すものとすることもできる。
【０００９】
本発明の他の態様の遊技媒体処理装置は、本体を有し、この本体が遊技媒体を洗浄する洗浄手段を含んでいる。本体は、洗浄手段の他に洗浄済みの遊技媒体を収容する補給タンクを有するものとすることができる。遊技島の上部に架設された補給搬送手段が、前記本体、例えば補給タンクから供給される遊技媒体を補給搬送手段の終端部側へ搬送する。前記補給搬送手段に複数配置された分岐ユニットが、作動状態において、搬送される遊技媒体を搬送路上から分岐排出し、対応する遊技媒体使用機に遊技媒体を補給し、非作動状態において、搬送される遊技媒体をそのまま通過させる。遊技島の下部に架設される回収搬送手段が、前記遊技媒体使用機から排出される遊技媒体を受け取り、前記本体まで搬送する。回収搬送手段により本体まで搬送された遊技媒体は洗浄手段によって洗浄することができる。前記補給搬送手段の終端部から排出される遊技媒体を、戻し路が前記回収搬送手段に誘導する。他の遊技島から排出される未洗浄の遊技媒体を島間搬送手段が搬送し、前記本体に取り込む。例えば洗浄手段に取り込む。この遊技媒体処理装置は、前記遊技媒体使用機からの補給要求に応じて、対応する前記分岐ユニットを作動状態とするとともに前記補給搬送手段を駆動し、当該遊技媒体使用機に遊技媒体を補給する補給処理を実行可能である。少なくとも前記補給処理を非実行中であることと、前記島間搬送手段により搬送された遊技媒体を本体、例えば洗浄手段に取り込み不能な状態であることとを条件として、すべての前記分岐ユニットを非作動状態としたまま前記補給搬送手段を駆動し、前記島間搬送手段により搬送された遊技媒体を前記補給搬送手段に供給し、前記戻し路と前記回収搬送手段を経由して前記本体に戻す迂回処理を実行可能とする。
【００１０】
このように構成された遊技媒体処理装置では、通常には、島間搬送手段によって搬送された未洗浄のメダルは、本体に取り込まれ、洗浄手段によって洗浄される。そして、遊技媒体使用機から補給要求があると、補給搬送手段によって搬送され、分岐ユニットによって補給要求のあった遊技媒体使用機に補給する補給処理が実行される。この補給処理が実行されてなく、島間搬送手段により搬送された遊技媒体を本体に取り込み不能な状態であるとき、島間搬送手段から補給搬送手段に供給された未洗浄の遊技媒体を、分岐ユニットを非作動とすることによって、戻し路と回収搬送手段を介して本体に戻すことができる。従って、島間搬送手段により搬送された遊技媒体を直接に本体に取り込み不能であっても、島間搬送手段からの遊技媒体を補給搬送手段と回収搬送手段上に一時的に貯留することができる。
【００１１】
なお、本体内に補給タンクを設け、洗浄手段によって洗浄された遊技媒体を補給タンクに収容し、補給タンクから補給搬送手段に遊技媒体を供給するように構成することもできる。この場合、迂回処理として、少なくとも前記補給処理の非実行中と、前記島間搬送手段により搬送された遊技媒体を洗浄手段に取り込み不能な状態であることとを条件として、すべての前記分岐ユニットを非作動状態としたまま前記補給搬送手段を駆動し、前記島間搬送手段により搬送された遊技媒体を補給タンクに供給し、補給タンクから前記補給搬送手段に供給し、前記戻し路と前記回収搬送手段を経由して前記本体に戻すように構成することもできる。
【００１２】
上記の両態様において、前記迂回処理の実行に伴い、前記補給搬送手段と前記回収搬送手段の少なくとも一方の駆動速度を変更可能とすることができる。このように構成すると、迂回処理に要する時間を調整することができ、例えば迂回処理に要する時間を短縮したい場合には、駆動速度を速くすればよいし、迂回処理に要する時間を長くして補給搬送手段と回収搬送手段上に遊技媒体を長く滞留させたい場合には駆動速度を遅くする。
【発明の効果】
【００１３】
以上のように、本発明によれば、既存の構成である補給搬送手段と回収搬送手段をそのまま用いて、補給搬送手段に供給された遊技媒体を遊技媒体使用機に補給せず、戻し路と回収搬送手段を経由して本体に戻す迂回処理を実行することにより、島渡しにより他島から搬送された未洗浄の遊技媒体を、洗浄してから補給遊技媒体として使用することができる。同様の迂回処理を実行することにより、洗浄手段や洗浄手段前段の貯留手段が満杯状態であっても、島渡しにより遊技媒体を受け取ることができ、補給搬送手段と回収搬送手段とを一時的な貯留手段として活用することができ、また、洗浄手段等が遊技媒体受け入れ可能となるまでの時間を稼ぐことができる。
【図面の簡単な説明】
【００１４】
【図１】本発明の第１の実施形態の遊技媒体処理装置を備えた遊技島の斜視図である。
【図２】図１の遊技媒体処理装置の概略側面図である。
【図３】図１の遊技媒体処理装置のブロック図である。
【図４】図１の遊技媒体処理装置の状態遷移図である。
【図５】図１の遊技媒体処理装置の迂回処理のフローチャートである。
【図６】本発明の第２の実施形態の遊技媒体処理装置の概略側面図である。
【図７】図６の遊技媒体処理装置の迂回処理のフローチャートである。
【発明を実施するための形態】
【００１５】
本発明の第１実施形態の遊技媒体処理装置は、図１に示す遊技島２ごとに設けられている。各遊技島２は、複数台の遊技媒体使用機、例えば遊技機と遊技媒体貸出機とを備えている。遊技機としては、例えばスロットマシン６が使用され、スロットマシン６は横方向に一列に配置されている。遊技媒体貸機、例えばメダル貸機８は、１台または２台のスロットマシン６に対して１台の割合で上記列内に配置されている。スロットマシン６及びメダル貸機８は、遊技媒体としてメダルを使用する。遊技島２には、図１に示すように両側にスロットマシン６を並べた両島と呼ばれる型のものと、図示していないが、片側のみにスロットマシン６を並べた片島と呼ばれる型のものとがある。必要に応じていずれかの形態の遊技島２が使用される。遊技店では、図１に示すような３台だけではなく、更に多くの遊技島２が様々なレイアウトで設けられている。
【００１６】
各遊技島２の一方の端部に、本体、例えばメダル補給装置４ａ、４ｂの一方が設けられている。メダル補給装置４ａは、メダル計数機１０を載置するための載置台１２を備えたもので、メダル補給装置４ｂは載置台１２を備えていないものである。
【００１７】
この実施の形態では、中央の遊技島２にメダル補給装置４ｂが配置され、その両側の遊技島２にメダル補給装置４ａが配置されている。メダル補給装置４ａとメダル補給装置４ｂとの間には、島間搬送手段、例えば島渡しコンベア２８が掛け渡されている。島渡しコンベア２８は、メダル補給装置４ａからメダル補給装置４ｂへメダルを搬送することもできるし、逆にメダル補給装置４ｂからメダル補給装置４ａへメダルを搬送することもできる。
【００１８】
メダル補給装置４ａでは、図２に示すように、スロットマシン６とメダル貸機８との下方に、これらの配列方向に沿って回収搬送手段、例えば回収コンベア１４が、ほぼ水平に配置されている。回収コンベア１４は、遊技島２の一端部から他端部まで配置されている。各スロットマシン６やメダル貸機８からオーバーフローしたメダルは、回収コンベア１４上に排出され、メダル補給装置４ａが配置されている遊技島２の一端部まで回収コンベア１４によって搬送される。一端部まで搬送されたメダルは、メダル補給装置４ａ内の揚送リフト１６によって揚送され、載置台１２内の下タンク１８内に投入される。また、遊技者が計数機１０に投入したメダルも下タンク１８に投入される。
【００１９】
下タンク１８内のメダルは、下タンク１８の下方に設置された洗浄手段、例えば洗浄ユニット２０に一定量ずつ投入される。洗浄ユニット２０で洗浄されたメダルは、洗浄ユニット２０の背後に立設されたメインリフト２２によって揚送され、揚送されたメダルは、分岐ユニット２４によって、島渡しコンベア２８または補給タンク２６に払い出される。
【００２０】
補給タンク２６に払い出されたメダルは、この補給タンク２６に一時的に貯留され、スロットマシン６やメダル貸機８からの補給要求信号、例えばエンプティ信号に応じて一定量ずつ補給搬送手段、例えば補給コンベア３０に、補給タンク２６が備える排出手段（図示せず）によって払い出される。補給コンベア３０は、遊技島２において、スロットマシン６及びメダル貸機８の上部に、その配列方向に沿ってほぼ水平に一端部から他端部まで配置され、その搬送面、例えば上面でメダルを支持して一端部側から他端部側へ搬送する。補給コンベア３０上には、スロットマシン６及びメダル貸機８に対応させて、ほぼ等間隔に分岐ユニット３２が配置されている。
【００２１】
分岐ユニット３２は、エンプティ信号を発生しているスロットマシン６またはメダル貸機８に対応するものが作動する。分岐ユニット３２は、作動時に、補給コンベア３上を搬送されるメダルを、分岐ユニット３２が対応するスロットマシン６またはメダル貸機８に分岐排出する。分岐ユニット３２が非作動時には、補給コンベア３０は、その搬送面上のメダルを、補給コンベア３０の他端部まで搬送する。そのため、分岐ユニット３２は、作動時には、補給コンベア３０の搬送面に接触して補給コンベア３０の搬送方向に対して斜めに位置し、非作動時には、補給コンベア３０と非接触にその上方に位置するように、構成されている。
【００２２】
補給コンベア３０の他端部には、戻し路４２が補給コンベア３０の他端部と回収コンベア１４の他端部とを繋ぐように、例えばシュート状の戻し路４２が設けられている。この戻し路４２が設けられていることによって、補給コンベア３０の他端部まで搬送されたメダルは、戻し路４２内を落下して、回収コンベア１４の他端部に到達し、回収コンベア１４によって回収コンベア１４の一端部、即ちメダル補給装置４ａ側に搬送される。
【００２３】
補給コンベア３０上には、複数台の中継制御部３４が、所定の間隔をおいて配置されている。これら中継制御部３４は、１台当たり複数台、例えば８台の分岐ユニット３２を管理制御する。
【００２４】
補給タンク２６が満杯になったとき、補給タンク２６に払い出されたメダルは、補給タンク２６をオーバーフローし、上タンク３６に投入される。上タンク３６に投入されたメダルは、払い出し装置３８によってバケット４０またはメインリフト２２に選択的に払い出される。バケット４０は、スロットマシン６やメダル貸機８に手作業でメダルを補給する必要が生じたときに使用するもので、メダル補給装置４ａの側面に設けた扉を開いて、取り出し可能である。
【００２５】
メダル補給装置４ｂは、計数機１０、下タンク１８及び洗浄ユニット２０を備えていない以外、メダル補給装置４ａと同様に構成されているので、詳細な説明は省略する。ただし、メダル補給装置４ｂは洗浄ユニット２０を備えていないので、メダル補給装置４ｂの回収コンベア１４で回収された未洗浄のメダルは、メインリフト２２によって上部に揚送され、島渡しコンベア２８を介して補給装置４ａの補給タンク２６に投入される。逆に、洗浄ユニット２０で洗浄されたメダルは、メインリフト２２で分岐ユニット２４へ搬送され、分岐ユニット２４から島渡しコンベア２８に払い出される。この払い出されたメダルは、隣接する遊技島２のメダル補給装置４ｂまで搬送され、隣接する遊技島のメダル補給装置４ｂの補給タンク２６に投入される。
【００２６】
図３に示すように、制御部５０が各メダル補給装置４ａ、４ｂに設けられている。制御部５０は、自島のスロットマシン６、メダル貸機８およびメダル計数機１０からのメダル回収及び補給、洗浄ユニット２０によるメダルの洗浄、他の島へのメダル補給などを制御する。制御部５０は、ＣＰＵ、メモリ、タイマー等からなる。制御部５０には、設定データを入力したり、稼働記録を出力したりするデータ入出力装置５２が接続されている。制御部５０は、回収コンベア１４、洗浄ユニット２０、メインリフト２２、補給タンク２６、島渡しコンベア２８、補給コンベア３０等の駆動手段からなる駆動手段群５４を、これらに設けたセンサからなるセンサ群５６からの信号を受けて制御する。
【００２７】
例えば、補給タンク２６には、貯留量を検知するセンサが設けられ、少なくとも、貯留メダルがほぼ無い状態（ニアエンプティ）と満杯の状態（フル）を検知することができる。好ましくは、多数のセンサを補給タンク２６に設け、残量をより細かく検知するようにする。
【００２８】
制御部５０には、操作子群５８及び表示装置６０が接続され、各種条件の設定やエラーメッセージ等の表示を行う。
【００２９】
更に、制御部５０は、各中継制御部３４（図３では１台のみ示している。）と双方向通信を行い、各分岐ユニット３２を作動または非作動状態に制御して、各スロットマシン６及びメダル貸機８へのメダル補給制御を行う。なお、各島の制御部５０は、隣接する島の制御部５０と双方向通信を行い、島内のメダル貯留量などのデータを共有しており、例えば洗浄ユニット２０を有していないメダル補給装置４ｂから自身の補給タンク２６に向けて未洗浄のメダルを搬送するように制御を行う。
【００３０】
図４はメダル補給装置４ａ、４ｂの動作を示す状態遷移図である。このメダル補給装置４ａ、４ｂに対して初回の電源オンがされると、初期設定（ステップＳ２）が実行される。初期設定では、メダル補給装置４ａ、４ｂ自体のアドレス設定や載置台１２の有無、中継制御部３４のアドレス認識や接続数の認識などのシステム構成の基本的な設定を行う。２回目以降の電源オン時には、この初期設定は行われない。
【００３１】
この初期設定に続いて、或いは２回目以降の電源オン時にはイニシャル中処理が行われる（ステップＳ４）。この処理では、ソフトウェアや通信状態の初期化、各駆動部の位置や動作のチェックなどが行われる。この処理では、接続されている遊技媒体使用機の種別と設置位置の判定も行われる。
【００３２】
イニシャル中処理が終了すると、正常待機中処理（ステップＳ６）が実行される。正常待機中処理では、操作子群５８の操作スイッチやセンサ群５６のセンサからの信号により、運転中処理（ステップＳ８）または係員操作中処理（ステップＳ１０）に移行する。
【００３３】
運転中処理は、正常待機中処理において、回収や補給等の要求があった場合に、対応する処理を行う。例えば遊技媒体使用機からエンプティ信号を受信し、その補給要求が正常な要求であると判断されたときであって、他に優先すべき処理がない場合、制御部５０が、エンプティ信号を出力した遊技媒体使用機に関連する分岐ユニット３２、補給コンベア３０、補給タンク２６を駆動する。
【００３４】
係員操作中処理は、正常待機中処理において、操作スイッチを操作することによって、この処理に移行し、運転履歴の表示や特定の遊技媒体使用機に対する補給禁止などの各種設定を行う。
【００３５】
正常待機中処理において、なんらかの異常が検知されると、異常待機中処理（ステップＳ１２）が実行され、メッセージ表示等により警告を出力する。この処理中に解除操作が行われると、異常解除の処理（ステップＳ１４）が実行され、異常が解除されると、正常待機中に戻り、異常が解除されないと、異常待機中に戻る。なお、異常待機中であっても、支障がない限り、補給や島渡しなどの運転は行われる。
【００３６】
正常待機中処理時または電源オン時の開始操作により、メンテナンス操作中処理（ステップＳ１６）が実行される。この処理では、各種設定や駆動部、センサのチェックが行われる。初期設定で行った設定も、このメンテナンス操作中処理において修正、変更可能である。
【００３７】
正常待機中処理において、図５に示すような迂回処理に関連する処理が実行される。即ち、上述したような遊技媒体使用機に対する補給処理が実行されているか判断する（ステップＳ２０）。メダル使用機へのメダルの補給処理は、この迂回処理よりも優先して実行される必要がある。従って、ステップＳ２０の判断の答えがイエスの場合には、ステップＳ２０の判断の答えがノーになるまで、ステップＳ２０を繰り返す。なお、ここで言う補給処理の実行には、メダル使用機から補給要求があり、何らかの理由によって補給処理を実行するために待機している場合も含んでいる。従って、補給処理を実行するために待機している場合にも、迂回処理は実行されない。
【００３８】
ステップＳ２０の判断の答えがノーとなると、未洗浄フラグが１であるか判断する（ステップＳ２２）。補給タンク２６に未洗浄のメダルが貯留されているか判断するための未洗浄フラグが予め設けられており、未洗浄メダルが貯留されているときには「１」に、未貯留のときには「０」にセットされている。ステップＳ２２の判断の答えがノーの場合には、補給タンク２６には未洗浄メダルが存在しないので、ステップＳ２０の判断から再び実行する。
【００３９】
なお、未洗浄フラグが「１」にセットされるのは、補給タンク２６がフルでない状態で、洗浄ユニット２０を備えていないメダル補給装置４ｂからメダルを受け取った場合である。未洗浄フラグが「０」にセットされるのは、後述するステップＳ３０、Ｓ３２で説明するように、迂回処理を充分な時間実行した場合や、迂回処理により補給タンク２６がニアエンプティになった場合である。また、迂回処理に先行して実行された補給処理により補給タンクがニアエンプティになった場合にも、未洗浄フラグは「０」にセットされる。
【００４０】
ステップＳ２２の判断の答えがイエスの場合、補給タンク２６の貯留量の検出が行われる（ステップＳ２４）。この検出は、例えば補給タンク２６に設けたセンサの出力によるものや、補給タンク２６への供給量から排出量を減算するものがある。補給タンク２６への供給量には、例えばメインリフト２２、島渡しコンベア２８からの供給量が該当し、排出量には、補給コンベア２０からの排出量が該当する。これら供給量は、メインリフト２２、島渡しコンベアの搬送能力と駆動時間とから算出でき、排出量は、補給コンベア３０の搬送能力と駆動時間とから算出できる。或いは、メインリフト２２、島渡しコンベア２８、補給コンベア３０に搬送量を検出するセンサを設け、これらセンサの出力に基づくことも可能である。
【００４１】
ステップＳ２４に続いて、迂回処理開始時に補給タンク２６に貯留されている全メダルを迂回処理するために必要な時間を算出する（ステップＳ２６）。この時間は、ステップＳ２４で求めた貯留量を、補給タンク２６の単位時間あたりのメダルの排出量で除算することによって算出できる。
【００４２】
ステップＳ２６に続いて、迂回動作を開始する（ステップＳ２８）。即ち、全分岐ユニット３２が非作動であることを確認し、補給コンベア３０を駆動し、補給タンク２６の排出手段を駆動する。なお、回収コンベア１４は常時駆動されている。
【００４３】
ステップＳ２８に続いて、迂回処理を開始してからの経過時間がステップＳ２６で算出した時間に達したか判断する（ステップＳ３０）。この判断の答えがノーであると、他の処理要求があるか判断する（ステップＳ３２）。即ち、ステップＳ３０の判断の答えがノーであっても、他の優先すべき処理が発生したか、例えばいずれかのメダル使用機が補給要求をしているか判断し、この判断の答えがイエスであると、迂回処理を中止する。なお、ステップＳ３２の判断の答えがノーであると、ステップＳ３０から再び実行する。ステップＳ３０の判断の答えがイエスになると、補給タンク２６には未洗浄メダルは存在しないので、未洗浄フラグを「０」にセットし（ステップＳ３４）、この処理を終了する。
【００４４】
なお、迂回処理の実行中に、島渡しコンベア２８から未洗浄のメダルを補給タンク２６に追加供給するようにすることもできる。この場合、迂回処理時間は、追加供給した未洗浄メダルの量に見合うだけ増加させる。
【００４５】
また、補給タンク２６内の全メダルを迂回処理してしまうと、補給タンク２６内にメダルが無い状態となり、迂回処理終了直後に補給要求があった場合に、迅速に補給処理を行うことができない。そこで、数回分の補給処理が実行可能な程度に、補給タンク２６内にメダルを残すように迂回処理時間を調整することもできる。
【００４６】
補給タンク２６内のメダルを迂回処理する時間は、短時間とすることが望ましい。そこで、迂回処理時の補給コンベア３０の搬送速度を、補給処理時よりも速くすることもできる。補給処理時の補給コンベア３０の速度は、補給コンベア３０上のメダルを分岐ユニット３２で分岐排出が可能な程度に制限しているが、迂回処理時には、分岐ユニット３２は非作動であるので、このような制限はなく、速度を速くすることができる。同時に、回収コンベア１４、揚送リフト１６の搬送速度を速くすることもできる。
【００４７】
上記の実施形態では、島渡しコンベア２８を介してメダル補給装置４ｂから搬送されてきた未洗浄メダルは、補給タンク２６に投入し、この補給タンク２６から補給コンベア３０上に供給したが、島渡しコンベア２８によってメダル補給装置４ｂから搬送されてきた未洗浄のメダルを島渡しコンベア２８から直接に補給コンベア３０上に供給する状態と、補給タンク２６に供給する状態とのいずれか選択された状態に切り換えることができる分岐ユニットを、島渡しコンベア２８に設けることもできる。
【００４８】
第２の実施形態の補給処理装置を図６及び図７を参照して説明する。この補給処理装置では、メダル補給装置４ａ、４ｂ間に架設した島間搬送コンベアが、未洗浄のメダルを搬送するための島渡しコンベア２８ａと、洗浄済みのメダルを搬送するための島渡しコンベア２８ｂとの２本とされている。これら島渡しコンベヤ２８ａ、２８ｂは、隣接するメダル補給装置からメダルを搬送してくることもできるし、逆に隣接するメダル補給装置にメダルを搬送することもできる。島渡しコンベア２８ａ上を隣接するメダル補給装置４ｂから搬送されてきた未洗浄のメダルは、島渡しコンベア２８ａ上に設けた分岐ユニット７２が動作したとき、図示していない蛇腹シュートにより構成された洗浄行き通路を介して下タンク１８に投入される。また、洗浄ユニット２０で洗浄されたメダルは、メインリフト２２で揚送されて、分岐ユニット２４によって島渡しコンベア２８ｂまたは補給タンク２６に投入される。なお、第１の実施形態と同島部分には同一符号を付して、その説明を省略する。
【００４９】
ただし、図６に示す符号１５は、バケットで、回収コンベア１４を搬送されたメダルを一時的に貯留して、揚送リフト１６ａに供給するバケットである。また、上タンク３６には、払い出し装置３８ａが設けられ、これによって排出された洗浄済みメダルはバケット４０に供給され、バケット４０から溢れたメダルは、シュート４１を介してメインリフト２２に供給される。また、上タンク３６に貯留した洗浄済みのメダルを補給タンク２６に供給する必要のあるとき、または島渡しコンベア２８ｂによって他の遊技島のメダル補給装置に供給する必要のあるとき、払い出し装置３８ａを駆動して、シュート４１、メインリフト２２、分岐ユニット２４を介して補給タンク２６または島渡しコンベア２８ａにメダルを補給する。島渡しコンベヤ２８ｂによって他のメダル補給装置から洗浄済みのメダルが搬送されてきたときには、分岐ユニット７０が動作して、洗浄済みのメダルは、補給タンク２６に供給される。
【００５０】
さらに、島渡しコンベヤ２８ａには、分岐ユニット７４が設けられており、これが動作しているとき、島間搬送コンベア２８ａで搬送されてきた未洗浄のメダルが、補給コンベア３０上に投入される。この分岐ユニット７４が非作動状態に場合、未洗浄のメダルは、分岐ユニット７２まで搬送され、上述したように、分岐ユニット７２が動作することによって下タンク１８に供給される。分岐ユニット７４は、迂回処理が行われているときに動作する。島渡しコンベア２８ａで搬送されてきた未洗浄のメダルは、補給タンク２６に投入されずに直接に補給コンベア３０に投入される。従って、補給タンク２６内で洗浄済みのメダルと未洗浄のメダルとが混ざり合うことはない。
【００５１】
図７は、迂回処理を示すフローチャートで、まず、補給処理中であるか判断する（ステップＳ４０）。この処理は、図５のステップＳ２０と同様なものである。ステップＳ４０の判断の答えがノーの場合、ステップＳ４０を繰り返す。
【００５２】
ステップＳ４０の判断の答えがイエスの場合、未洗浄メダルの島渡し要求があるか判断する（ステップＳ４２）。これは、図５のステップＳ２２に対応するもので、洗浄ユニットを有していないメダル補給装置４ｂから未洗浄メダルを島間搬送する要求があったか判断している。この判断の答えがノーの場合、再びステップＳ４０を実行する。
【００５３】
ステップＳ４２の判断の答えがイエスの場合、下タンク１８にメダルを投入不可能か判断する（ステップＳ４４）。下タンク１８にメダルが投入可能な場合、島間搬送されてきた未洗浄のメダルは、下タンク１８に分岐ユニット７２に動作によって投入するので、この判断の答えがノーの場合、ステップＳ２０から再び実行する。ステップＳ４４の判断の答えがイエスであると、迂回動作が開始される（ステップＳ４６）。
【００５４】
ステップＳ４６の迂回処理では、全分岐ユニット３２が非作動状態であることを確認し、補給コンベア３０を駆動し、未洗浄メダルの供給元となるメダル補給装置４ｂから、このメダル補給装置４ａに向けて搬送する方向に島渡しコンベア２８ａを駆動する。分岐ユニット７４を動作させる。これによって、島渡しコンベア２８ａを搬送されてきた未洗浄のメダルは、分岐ユニット７４によって補給コンベア３０上に投入され、補給コンベア３０上を搬送されて、戻し路４２を介して回収コンベア１４上に投入され、回収コンベア１４上をバケット１５に向かって搬送される。
【００５５】
次に、島渡しが完了したか判断する（ステップＳ４８）。即ち、メダル補給装置４ｂから島渡しコンベヤ２８ａ上に投入された未洗浄の全てのメダルが、分岐ユニット７４によって補給コンベア３０上に投入されたか判断する。この判断の答えがノーの場合、他の優先すべき処理、例えばメダル使用機からメダル補給要求があるか判断し、その判断の答えがノーの場合、ステップＳ４８を再び実行する。
【００５６】
ステップＳ５０の判断の答えがイエスの場合、島渡し処理を中止する（ステップＳ５２）。この場合、未洗浄メダルの供給元であるメダル補給装置４ｂから島渡しコンベア２８ａ上への未洗浄メダルの供給を停止させ、島渡しコンベヤ２８ａ上に残っている全てのメダルが補給コンベア３０上に投入されるのに要する時間が経過した後、島渡しコンベヤ２８ａを停止させる。
【００５７】
このステップＳ５２に続いて、またはステップＳ４８の判断の答えがイエスの場合（島渡し処理が終了したと判断された場合）、残処理を行い（ステップＳ５４）、この処理を終了する。ステップＳ５４の残処理は、補給コンベア３０上にある全ての未洗浄メダルが、補給コンベア３０の他端部の戻し路４２に到達するのに要する時間が経過したときに、補給コンベアを停止するものである。これによって、以後、補給コンベヤ３０によってメダル使用機にメダル補給が行われるときには、補給タンク２６からの洗浄済みのメダルが使用される。
【００５８】
なお、ステップＳ４４において判断される下タンク１８へのメダル投入不可となる原因としては、（ア）計数機１０や回収コンベア１４から大量のメダルが下タンク１８に投入され、満杯状態であるが、洗浄ユニット２０の処理が追いつかない場合、（イ）下タンク１８の排出手段が故障し、排出不能となり、下タンク１８が満杯になったままの状態、（ウ）分岐ユニット７２の故障により、洗浄行き通路を使用できない場合の３つが、ある。
【００５９】
（ア）の場合には、洗浄ユニット２０での洗浄処理が進むのを待つ必要があるので、迂回処理時間を長くすることが望ましい。そこで、補給コンベヤ３０の搬送速度を通常の補給処理時の搬送速度よりも遅くする。また、回収コンベヤ１４や揚送リフト１６の搬送速度も遅くすることができる。（イ）、（ウ）の場合は、通常時の未洗浄メダルの回収ルートが使用できない場合であるので、第１の実施形態の場合と同様に、迂回処理の時間を短縮することが望ましい。従って、補給コンベア３０の搬送速度を通常の補給処理時の搬送速度よりも速くする。同時に、回収コンベア１４や揚送リフト１６ａの搬送速度も速くする。
【００６０】
第２の実施形態では、島渡しコンベヤ２８ａ上に２つの分岐ユニット７２、７４を設けたが、これに代えて、島渡しコンベヤ２８ａ上のメダルを補給コンベア３０上に投入する動作と、島渡しコンベヤ２８ａ上のメダルを洗浄行き通路を介して下タンク１８に投入する動作とを、選択的に行う１つの分岐ユニットを使用することもできる。第２の実施形態では、分岐ユニット７４によって島渡しコンベア２８ａによって搬送されてきた未洗浄メダルを補給コンベア３０上に投入したが、第１の実施形態と同様に、分岐ユニット７４によって補給タンク２６に未洗浄メダルを投入することもできる。
【００６１】
また、第１及び第２の実施形態では、洗浄ユニット２０はメダル補給装置４ａの下部に設けたが、メダル補給装置４ａの上部に設けることもできる。この場合、回収コンベア１４で回収されたメダルは、メインリフト２２によって洗浄ユニット２０に揚送され、洗浄ユニットで洗浄されたメダルは、洗浄ユニットの下方に設けた上タンク３６に投入され、上タンク３６から補給タンク２６に供給されて、補給タンク２６から補給コンベア３０に供給される。島渡しコンベア２８または２８ａによって搬送されてきた未洗浄メダルは、島渡しコンベア２８または２８ａに設けられた分岐ユニットによって、通常時には洗浄ユニット２０に投入されるが、迂回処理時には補給タンク２６または補給コンベア３０上に投入される。
【符号の説明】
【００６２】
４ａ  ４ｂ  メダル補給装置（本体）
１４  回収コンベア（回収搬送手段）
２６  補給タンク
２８  島渡しコンベア（島間搬送手段）
３０  補給コンベア（補給搬送手段）
４２  戻し路
【図１】
2010213829.tif 000003
【図２】
2010213829.tif 000004
【図３】
2010213829.tif 000005
【図４】
2010213829.tif 000006
【図５】
2010213829.tif 000007
【図６】
2010213829.tif 000008
【図７】
2010213829.tif 000009